(57)【要約】【課題】原稿に埋め込まれた情報を検知して取得することで、その原稿について機能設定することなく自動的に適切な画像読み取りを実施できるようにする。【解決手段】原稿５０からの画像読み取りを行って画像データを得る画像読取手段１０と、前記画像読取手段１０が読み取り対象とする原稿５０に付加された付加情報５１を当該原稿５０から読み取る情報読取手段１１と、前記情報読取手段１１が読み取った付加情報５１に基づき前記画像読取手段１０での画像読み取りを前記原稿５０の両面に対して行うか、あるいは前記原稿５０の片面に対してのみ行うかを判断して前記画像読取手段１０に指示する動作制御手段４７とを備えて、画像読取装置を構成する。【選択図】図１
2007088986.tif 000002
【特許請求の範囲】
【請求項１】
原稿からの画像読み取りを行って画像データを得る画像読取手段と、
前記画像読取手段が読み取り対象とする原稿に付加された付加情報を当該原稿から読み取る情報読取手段と、
前記情報読取手段が読み取った付加情報に基づき前記画像読取手段での画像読み取りを前記原稿の両面に対して行うか、あるいは前記原稿の片面に対してのみ行うかを判断して前記画像読取手段に指示する動作制御手段と
を備えることを特徴とする画像読取装置。
【請求項２】
原稿からの画像読み取りを行って画像データを得る画像読取手段と、
前記画像読取手段が読み取り対象とする原稿に付加された付加情報を当該原稿から読み取る情報読取手段と、
前記情報読取手段が読み取った付加情報に基づき前記画像読取手段が画像読み取りを行う際の処理条件を設定して前記画像読取手段に指示する動作制御手段と
を備えることを特徴とする画像読取装置。
【請求項３】
原稿からの画像読み取りを行って画像データを得る画像読取手段と、
前記画像読取手段で得た画像データに対し所定のデータ処理を行うデータ処理手段と、
前記画像読取手段が読み取り対象とする原稿に付加された付加情報を当該原稿から読み取る情報読取手段と、
前記情報読取手段が読み取った付加情報に基づき前記データ処理手段がデータ処理を行う際の処理条件を設定して前記データ処理手段に指示する動作制御手段と
を備えることを特徴とする画像読取装置。
【請求項４】
原稿からの画像読み取りを行って画像データを得る画像読取手段と、
前記画像読取手段で得た画像データに対し所定のデータ処理を行うデータ処理手段と、
前記画像読取手段での画像読み取りを前記原稿の両面に対して行うか、あるいは前記原稿の片面に対してのみ行うかを前記画像読取手段に指示する第一制御手段と、
前記画像読取手段が画像読み取りを行う際の処理条件を設定して前記画像読取手段に指示する第二制御手段と、
前記データ処理手段がデータ処理を行う際の処理条件を設定して前記データ処理手段に指示する第三制御手段と、
前記画像読取手段が読み取り対象とする原稿に付加された付加情報を当該原稿から読み取る情報読取手段と、
前記情報読取手段が読み取った付加情報に基づき前記第一制御手段、前記第二制御手段または前記第三制御手段の少なくとも一つを動作させる動作制御手段と
を備えることを特徴とする画像読取装置。
【発明の詳細な説明】
【技術分野】
【０００１】
本発明は、原稿からの画像読み取りを行う画像読取装置に関するものである。
【背景技術】
【０００２】
従来、原稿から光学的に読み取った画像データをコピー用紙上に可視画像化して出力する複写機の中には、そのコピー用紙上の所定箇所（例えば余白部分）に所定形式（例えばバーコード形式）で情報を埋め込むことのできるものがある（例えば特許文献１参照）。
【０００３】
【特許文献１】特開平１１−１８７２４７号公報
【発明の開示】
【発明が解決しようとする課題】
【０００４】
しかしながら、上述した従来の技術における埋め込み情報は、コピー用紙上への可視画像を再度複写しようとしたときに、当該可視画像の出力時の設定を再現して同一の出力結果を得るためのものである。すなわち、画像出力時についての設定情報である。したがって、その埋め込み情報を基にしても、原稿からの画像読み取りについては、必ずしも最適に行い得るとは限らない。
【０００５】
そこで、原稿に埋め込まれた情報を検知して取得することで、その原稿について機能設定することなく自動的に適切な画像読み取りを実施することができ、これによりユーザの作業負荷の軽減を図ることのできる画像読取装置を提供することを目的とする。
【課題を解決するための手段】
【０００６】
本発明は、上記目的を達成するために案出された画像読取装置で、原稿からの画像読み取りを行って画像データを得る画像読取手段と、前記画像読取手段が読み取り対象とする原稿に付加された付加情報を当該原稿から読み取る情報読取手段と、前記情報読取手段が読み取った付加情報に基づき前記画像読取手段での画像読み取りを前記原稿の両面に対して行うか、あるいは前記原稿の片面に対してのみ行うかを判断して前記画像読取手段に指示する動作制御手段とを備えることを特徴とするものである。
【０００７】
また、本発明の画像読取装置は、原稿からの画像読み取りを行って画像データを得る画像読取手段と、前記画像読取手段が読み取り対象とする原稿に付加された付加情報を当該原稿から読み取る情報読取手段と、前記情報読取手段が読み取った付加情報に基づき前記画像読取手段が画像読み取りを行う際の処理条件を設定して前記画像読取手段に指示する動作制御手段とを備えることを特徴とするものである。
【０００８】
また、本発明の画像読取装置は、原稿からの画像読み取りを行って画像データを得る画像読取手段と、前記画像読取手段で得た画像データに対し所定のデータ処理を行うデータ処理手段と、前記画像読取手段が読み取り対象とする原稿に付加された付加情報を当該原稿から読み取る情報読取手段と、前記情報読取手段が読み取った付加情報に基づき前記データ処理手段がデータ処理を行う際の処理条件を設定して前記データ処理手段に指示する動作制御手段とを備えることを特徴とするものである。
【０００９】
また、本発明の画像読取装置は、原稿からの画像読み取りを行って画像データを得る画像読取手段と、前記画像読取手段で得た画像データに対し所定のデータ処理を行うデータ処理手段と、前記画像読取手段での画像読み取りを前記原稿の両面に対して行うか、あるいは前記原稿の片面に対してのみ行うかを前記画像読取手段に指示する第一制御手段と、前記画像読取手段が画像読み取りを行う際の処理条件を設定して前記画像読取手段に指示する第二制御手段と、前記データ処理手段がデータ処理を行う際の処理条件を設定して前記データ処理手段に指示する第三制御手段と、前記画像読取手段が読み取り対象とする原稿に付加された付加情報を当該原稿から読み取る情報読取手段と、前記情報読取手段が読み取った付加情報に基づき前記第一制御手段、前記第二制御手段または前記第三制御手段の少なくとも一つを動作させる動作制御手段とを備えることを特徴とするものである。
【００１０】
上記構成の各画像読取装置は、いずれも、画像読取手段での画像読み取りの対象となる原稿に付加情報が付加されていると、情報読取手段がその付加情報を原稿から読み取る。「付加情報」とは、原稿上に描かれている画像とは別に、または当該画像と併せて、その原稿に付加される情報のことをいい、具体的には二次元コード化のような情報埋め込み技術を利用して原稿上に描かれたものや、原稿用紙に埋め込まれ情報記録が可能な無線ＩＣチップ内に格納されたもの等がこれに該当する。そして、このような付加情報を読み取ると、その内容に基づいて、動作制御手段が原稿からの画像読み取りを当該原稿の両面または片面に対して行うか、原稿からの画像読み取りを行う際の処理条件をどのように設定するか、あるいは原稿から得られた画像データに対するデータ処理を行う際の処理条件をどのように設定するかを指示するようになっている。したがって、画像読取手段での原稿からの画像読み取りは、その原稿に付加された付加情報の内容が反映されたものとなる。
【発明の効果】
【００１１】
以上のように、本発明の画像読取装置によれば、原稿に付加された付加情報の内容がその原稿からの画像読み取りに反映されるので、予め所望する画像読み取りについての情報を付加情報として原稿に付加しておけば、画像読み取りの際に改めて原稿についての機能設定を要することなく、自動的に所望通りの適切な画像読み取りを実施することができる。したがって、原稿からの画像読み取りを行う際におけるユーザの作業負荷の軽減を図るができる。また、適切な画像読み取りを実施することから、無駄な画像読み取りの実施を回避することができ、これにより省資源、省エネルギーの実現も期待できる。
【発明を実施するための最良の形態】
【００１２】
以下、図面に基づき本発明の画像読取装置について説明する。
【００１３】
〔画像読取装置の構成例の説明〕
先ず、画像読取装置の概略構成について説明する。なお、ここでは、本発明を複写機に適用した場合を例に挙げて説明する。
図１は、本発明が適用された複写機の概略構成例を示す説明図である。図例のように、ここで説明する複写機は、大別すると、画像読取部（Image Input Terminal；以下「ＩＩＴ」という）１０と、画像形成部（Image Output Terminal;以下「ＩＯＴ」という）２０と、ユーザインタフェース部（以下「ＵＩ」という）３０と、コントローラ４０と、から構成されている。
【００１４】
ＩＩＴ１０は、読み取り対象となる原稿５０からの画像読み取りを行って画像データを得るものである。画像読み取りの手法については、公知技術を用いて行えばよいため、ここではその説明を省略する。
【００１５】
ＩＩＴ１０が読み取り対象とする原稿５０は、シート状の記録用紙上に画像が描かれてなるものであるが、付加情報５１が付加されているものを含む。すなわち、ＩＩＴ１０は、付加情報５１が付加されていない一般的な原稿に加え、付加情報５１が付加された原稿５０についても読み取り対象とし得る。付加情報５１とは、原稿５０上に描かれている画像とは別に、または当該画像と併せて、その原稿５０に付加される情報のことをいう。具体的には、二次元コード化のような情報埋め込み技術を利用して原稿５０上に描かれたものや、原稿５０に埋め込まれた無線ＩＣチップ内に格納されたもの等が挙げられる。
「二次元コード」としては、その代表的なものとしてバーコードが挙げられるが、これに準ずるものであっても構わない。具体的には、「ｉＴｏｎｅ（登録商標）」と呼ばれるもののように、階調表現としての万線スクリーンまたはドットスクリーンを構成する画素の形態（位置、形状等）を変化させることで、二次元コード化を図ったものであってもよい。すなわち、付加情報は、その内容によって、画素の位置、配置関係、幾何学的形態、あるいは複数の画素で構成するパターンを変化させることで、付加されるものであればよい。
また、「無線ＩＣチップ」としては、その代表的なものとしてＲＦＩＤ（Radio Frequency Identification）タグが挙げられる。ＲＦＩＤタグは、ｎビットのデジタル情報が記録可能であり、電波を使って専用のリーダとの間で情報を送受信する機能を有したものである。ただし、必ずしもＲＦＩＤタグに限定されることはなく、無線通信を利用した外部との非接触での情報授受が可能なものであれば、他のものを用いても構わない。
付加情報５１は、以上のような付加態様のうちの少なくとも一つによって原稿５０に付加されたものである。なお、付加情報５１の付加態様（二次元コード化や無線ＩＣチップ利用等）の詳細については、公知技術を利用して実現すればよいため、ここではその説明を省略する。また、付加情報５１の具体的な内容については、後述するものとする。
【００１６】
このような付加情報５１が付加された原稿５０を読み取り対象とし得るために、ＩＩＴ１０では、原稿５０からの画像読み取りを行う機能に加えて、その原稿５０からの付加情報５１の読み取りを行う機能である付加情報読取部１１を備えている。この付加情報読取部１１での付加情報５１の読み取りの具体的な手法については、その付加情報５１の付加態様に応じて、公知技術を利用して実現すればよいため、ここではその説明を省略する。
また、ＩＩＴ１０では、原稿５０からの画像読み取りによって得た画像データおよびその原稿５０から読み取った付加情報５１についての一時的な記憶保持のために、ハードディスクドライブ部（Hard Disk Drive；以下「ＨＤＤ」という）１２を有していてもよい。
【００１７】
ＩＯＴ２０は、ＩＩＴ１０が原稿５０からの画像読み取りによって得た画像データについて、その印刷出力を行うものである。なお、印刷出力手法については、公知の電子写真技術を用いて行えばよいため、ここではその説明を省略する。
【００１８】
ＵＩ３０は、複写機のユーザが情報入力のための操作を行ったり、そのユーザに対する情報出力を行ったりするものである。
【００１９】
コントローラ４０は、上述した各部１０〜３０に対する動作制御を行うものである。すなわち、複写機が原稿５０からの画像読み取りおよびその画像読み取りで得た画像データの印刷出力を行う際の処理動作を制御するものである。その動作制御のために、コントローラ４０は、ＩＩＴインタフェース（以下、インタフェースを「Ｉ／Ｆ」と略す）４１と、ページメモリ４２と、圧縮／伸張部４３と、ＩＯＴ−Ｉ／Ｆ４４と、付加情報解析部４５と、ＵＩ−Ｉ／Ｆ４６と、ＣＰＵ（Central Processing Unit）４７と、システムメモリ４８と、ＨＤＤ４９と、を備えている。
【００２０】
ＩＩＴ−Ｉ／Ｆ４１は、ＩＩＴ１０との接続を確立するためのものであり、ＩＩＴ１０からの画像データおよび付加情報５１の取得を行うものである。
【００２１】
ページメモリ４２は、ＩＩＴ−Ｉ／Ｆ４１が取得した画像データをページ単位またはバンド単位で一時的に記憶保持するものである。
【００２２】
圧縮／伸張部４３は、ＩＩＴ−Ｉ／Ｆ４１が取得した画像データに対して、必要に応じてデータ圧縮処理またはデータ伸張処理を行うものである。
【００２３】
ＩＯＴ−Ｉ／Ｆ４４は、ＩＯＴ２０との接続を確立するためのものであり、印刷出力すべき画像データおよびこれに付随する制御コマンドのＩＯＴ２０への送出を行うものである。
【００２４】
付加情報解析部４５は、ＩＩＴ−Ｉ／Ｆ４１がＩＩＴ１０から取得した付加情報５１について、その内容の解析を行うものである。なお、付加情報５１の解析手法については、その付加情報５１の付加態様に応じて、公知技術を利用して実現すればよいため、ここではその説明を省略する。
【００２５】
ＵＩ−Ｉ／Ｆ４６は、ＵＩ３０との接続を確立するためのものであり、ＵＩ３０での入力情報の取得およびＵＩ３０に出力させる情報の当該ＵＩ３０への送出を行うものである。
【００２６】
ＣＰＵ４７は、コントローラ４０における中枢的な機能を果たすもので、所定プログラムを実行することにより、詳細を後述するような処理動作制御を行うものである。
【００２７】
システムメモリ４８は、ＣＰＵ４７が処理動作制御を行うために必要となる所定プログラムやこれに付随する各種パラメータを、予め記憶保持しているものである。
【００２８】
ＨＤＤ４９は、ＣＰＵ４７が処理動作制御を行う際のワークエリアとして用いられたり、ＩＩＴ−Ｉ／Ｆ４１が取得した画像データをスプールしたり、このような必要に応じた情報記憶を行うものである。
【００２９】
〔第一の処理動作例の説明〕
次に、以上のように構成された複写機における処理動作例について説明する。ここでは、主に、ＩＩＴ１０が原稿５０からの画像読み取りを行う際の処理動作例について説明する。
【００３０】
図２は、本発明が適用された複写機における第一の処理動作例を示すフローチャートである。第一の処理動作例においては、読み取り対象となる原稿５０に、例えばその原稿５０が表裏両面に画像が描かれた両面原稿であればその旨の情報が、また表裏いずれか一方のみに画像が描かれた片面原稿であればその旨の情報が、それぞれ付加情報５１として付加されているものとする。なお、付加情報５１のフォーマット等は特に限定されるものではない。
【００３１】
このような付加情報５１が付加された複数の原稿５０からなる原稿束がＩＩＴ１０にセットされた後、ＵＩ３０で両面／片面混在原稿束についての自動モードでのコピー開始指示があると、ＩＩＴ１０は、セットされた原稿束を構成する各原稿５０を順次繰り出して、それぞれに対する画像読み取りを実施する。
【００３２】
画像読み取りの開始にあたり、ＩＩＴ１０では、先ず、読み取り対象となる原稿５０の被読み取り面について、プリスキャンを実施する。そして、このときに、付加情報読取部１１が付加情報５１の有無を検知する（ステップ１０１、以下ステップを「Ｓ」と略す）。付加情報５１の有無検知は、以下のようにして行えばよい。例えば、付加情報５１が二次元コード化されて原稿５０上に描かれたものであれば、付加情報読取部１１は、公知のパターン認識技術を用いて、ＩＩＴ１０でのプリスキャンによって得られる画像データに二次元コード化されたパターン部分が含まれているか否かを判断することによって行えばよい。また、例えば、付加情報５１が原稿５０に埋め込まれた無線ＩＣチップ内に格納されたものであれば、付加情報読取部１１は、プリスキャン時に原稿５０の全面を走査して、その原稿５０に通信可能な無線ＩＣチップが埋め込まれているか否かを判断することによって行えばよい。
【００３３】
その結果、付加情報５１が有ることを検知すると（Ｓ１０１）、付加情報読取部１１は、続いて、その付加情報５１の原稿５０からの読み取りを行う（Ｓ１０２）。例えば、付加情報５１が二次元コード化されて原稿５０上に描かれたものであれば、付加情報読取部１１は、ＩＩＴ１０でのプリスキャンによって得られる画像データから二次元コード化されたパターン部分を抽出することによって、付加情報５１の読み取りを行えばよい。また、例えば、付加情報５１が原稿５０に埋め込まれた無線ＩＣチップ内に格納されたものであれば、付加情報読取部１１は、その無線ＩＣチップとの無線通信を行って、その無線ＩＣチップからの付加情報５１の読み取りを行えばよい。そして、原稿５０からの付加情報５１の読み取りを行うと、付加情報読取部１１は、その読み取った付加情報５１をコントローラ４０へ送出する。
【００３４】
なお、付加情報５１が有ることを検知できなかった場合には（Ｓ１０１）、付加情報読取部１１は、その旨の検知結果をコントローラ４０へ通知する。そして、その旨の通知を受けたコントローラ４０は、読み取り対象となる原稿５０には付加情報５１が付加されていないので、一般的なコピーモードの場合と同様の処理を行うように、ＩＩＴ１０およびＩＯＴ２０に対する動作制御を行う。
【００３５】
付加情報読取部１１が原稿５０から付加情報５１を読み取り、その読み取った付加情報５１をコントローラ４０へ送出すると、コントローラ４０では、ＩＩＴ−Ｉ／Ｆ４１がその付加情報５１の取得を行うとともに、付加情報解析部４５がその付加情報５１についての内容解析を行う。具体的には、付加情報解析部４５は、原稿５０に付加されていた付加情報５１の内容が、その原稿５０が両面原稿である旨のものであるか、あるいは片面原稿である旨のものであるかを解析する（Ｓ１０３）。
【００３６】
そして、付加情報解析部４５が付加情報５１の内容解析を行うと、ＣＰＵ４７は、その内容解析結果に基づき、ＩＩＴ１０での画像読み取りを原稿５０の両面に対して行うか、あるいは原稿５０の片面に対してのみ行うかを判断して、ＩＩＴ１０に指示する。すなわち、ＣＰＵ４７は、付加情報５１についての内容解析結果が両面原稿である旨のものであれば、ＩＩＴ１０に対して、読み取り対象となっている原稿５０の被読み取り面について本スキャンを実施した後、その原稿５０の反転を行って、当該被読み取り面の反対面について本スキャンを実施して、その原稿５０の両面からの画像読み取りを行うように指示を与える（Ｓ１０４）。一方、ＣＰＵ４７は、付加情報５１についての内容解析結果が片面原稿である旨のものであれば、ＩＩＴ１０に対して、読み取り対象となっている原稿５０の被読み取り面について本スキャンを実施し、これによりその原稿５０に対する画像読み取りを終了し、その原稿５０の片面のみから画像読み取りを行うように指示を与える（Ｓ１０５）。
【００３７】
このＣＰＵ４７からの動作指示を受けると、ＩＩＴ１０は、その動作指示に従いつつ、読み取り対象の原稿５０からの画像読み取り（本スキャン）を実施する。そして、その原稿５０からの画像読み取りが終了すると、ＩＩＴ１０は、原稿束から次の原稿５０を繰り出して、当該原稿５０についての画像読み取りを開始する。これにより、原稿束を構成する各原稿５０のそれぞれに対し、順次、上述した一連の処理が行われることになる。
【００３８】
以上のように、第一の処理動作例においては、付加情報読取部１１が原稿５０から付加情報５１を読み取ると、付加情報解析部４５がその付加情報５１の内容解析を行うとともに、その内容解析の結果に基づいて、ＣＰＵ４７が原稿５０からの画像読み取りを当該原稿５０の両面に対して行うか、あるいは片面のみに対して行うかを、ＩＩＴ１０に指示するようになっている。これにより、ＩＩＴ１０での原稿５０からの画像読み取りは、その原稿５０に付加された付加情報５１の内容が反映されたものとなる。したがって、予め所望する画像読み取りについての情報を付加情報５１として原稿５０に付加しておけば、画像読み取りの際に改めて各原稿５０別に両面／片面についての設定をＵＩ３０で行うことを要することなく、自動的に所望通りの適切な画像読み取りを実施することができ、原稿５０からの画像読み取りを行う際におけるユーザの作業負荷の軽減を図るができる。さらには、適切な画像読み取りを実施することから、例えば片面のみの原稿に対し両面読み取りを行うといった無駄な画像読み取りの実施を回避することができ、これにより省資源、省エネルギーの実現も期待できる。
【００３９】
〔第二の処理動作例の説明〕
次に、第二の処理動作例について説明する。
図３は、本発明が適用された複写機における第二の処理動作例を示すフローチャートである。第二の処理動作例においては、読み取り対象となる原稿５０に、画像読み取りを行う際の処理条件についての情報が、付加情報５１として付加されているものとする。画像読み取りを行う際の処理条件としては、例えばカラー／白黒読み取りの別、読み取り解像度の値、拡縮率の値等が挙げられる。ここでは、画像読み取りを行う際の処理条件として、カラー／白黒読み取りの別を例に挙げて、以下の説明を行う。すなわち、読み取り対象となる原稿５０には、例えばその原稿５０にカラー画像が描かれておりカラー画像に対応したモードで画像読み取りを行うべきものであればその旨の情報が、また例えばその原稿５０に白黒画像が描かれており白黒画像に対応したモードで画像読み取りを行うべきものであればその旨の情報が、それぞれ付加情報５１として付加されているものとする。なお、ここでも、付加情報５１のフォーマット等は特に限定されるものではない。
【００４０】
このような付加情報５１が付加された複数の原稿５０からなる原稿束がＩＩＴ１０にセットされた後、ＵＩ３０でカラー／白黒混在原稿束についての自動モードでのコピー開始指示があると、ＩＩＴ１０は、セットされた原稿束を構成する各原稿５０を順次繰り出して、それぞれに対する画像読み取りを実施する。
【００４１】
画像読み取りの開始にあたり、ＩＩＴ１０では、先ず、読み取り対象となる原稿５０の被読み取り面について、プリスキャンを実施する。そして、このときに、付加情報読取部１１が付加情報５１の有無を検知する（Ｓ２０１）。その結果、付加情報５１が有ることを検知すると、付加情報読取部１１は、その付加情報５１の読み取りを行ってコントローラ４０へ送出する（Ｓ２０２）。なお、付加情報５１の有無検知および読み取りは、第一の処理動作例の場合と同様にして行えばよい。
【００４２】
付加情報読取部１１から付加情報５１が送出されてくると、コントローラ４０では、ＩＩＴ−Ｉ／Ｆ４１がその付加情報５１の取得を行うとともに、付加情報解析部４５がその付加情報５１についての内容解析を行う（Ｓ２０３）。具体的には、付加情報解析部４５は、原稿５０に付加されていた付加情報５１の内容が、カラー原稿についてのものであるか、あるいは白黒原稿についてのものであるかを解析する。そして、付加情報解析部４５が付加情報５１の内容解析を行うと、ＣＰＵ４７は、その内容解析結果に基づき、ＩＩＴ１０での画像読み取りを、カラー画像に対応したモードで画像読み取りを行うか、あるいは白黒画像に対応したモードで画像読み取りを行うかを判断して、ＩＩＴ１０に指示する。すなわち、ＣＰＵ４７は、原稿５０からの画像読み取りを行う際の処理条件を特定するパラメータ等を、カラー画像に対応したモードとするか、あるいは白黒画像に対応したモードとするかを選択し、その選択したパラメータをＩＩＴ１０に対して設定する（Ｓ２０３）。なお、このとき設定する各モード別の処理条件自体（パラメータの値等）については、付加情報解析部４５での付加情報５１の内容解析結果から抽出されるものであっても、あるいはＣＰＵ４７がアクセス可能なＨＤＤ４９内に例えばテーブル形式で予め格納されているものであってもよい。
【００４３】
このＣＰＵ４７からの設定指示を受けると、ＩＩＴ１０は、その設定指示に従いつつ、読み取り対象の原稿５０からの画像読み取り（本スキャン）を実施する。そして、その原稿５０からの画像読み取りが終了すると、ＩＩＴ１０は、原稿束から次の原稿５０を繰り出して、当該原稿５０についての画像読み取りを開始する。これにより、原稿束を構成する各原稿５０のそれぞれに対し、順次、上述した一連の処理が行われることになる。
【００４４】
以上のように、第二の処理動作例においては、付加情報読取部１１が原稿５０から付加情報５１を読み取ると、付加情報解析部４５がその付加情報５１の内容解析を行うとともに、その内容解析の結果に基づいて、ＣＰＵ４７が原稿５０からの画像読み取りをカラー画像に対応したモードで行うか、あるいは白黒画像に対応したモードで行うかを判断して、各モードに適した処理条件設定をＩＩＴ１０に指示するようになっている。これにより、ＩＩＴ１０での原稿５０からの画像読み取りは、その原稿５０に付加された付加情報５１の内容が反映されたものとなる。したがって、予め所望する画像読み取りについての情報を付加情報５１として原稿５０に付加しておけば、画像読み取りの際に改めて各原稿５０別にカラー／白黒についての設定をＵＩ３０で行うことを要することなく、自動的に所望通りの適切な画像読み取りを実施することができ、原稿５０からの画像読み取りを行う際におけるユーザの作業負荷の軽減を図るができる。さらには、適切な画像読み取りを実施することから、例えば白黒原稿に対しカラー読み取りを行うといった無駄な画像読み取りの実施を回避することができ、これにより省資源、省エネルギーの実現も期待できる。
【００４５】
〔第三の処理動作例の説明〕
次に、第三の処理動作例について説明する。
図４は、本発明が適用された複写機における第三の処理動作例を示すフローチャートである。第三の処理動作例においては、読み取り対象となる原稿５０に、その原稿５０から得られる画像データに対してデータ処理を行う際の処理条件についての情報が、付加情報５１として付加されているものとする。画像データに対してデータ処理としては、例えば圧縮／伸張部４３でのデータ圧縮処理またはデータ伸張処理等といったコントローラ４０が行うデータ処理と、その画像データに対する印刷出力処理やこれに付随する画質調整のためのデータ処理（色変換処理や解像度変換処理等）等といったＩＯＴ２０が行うデータ処理とが挙げられる。付加情報５１は、これらのデータ処理の少なくとも一つについて、その処理条件を特定するためのものであればよい。ここでは、データ処理を行う際の処理条件として、印刷出力画像の画質調整のためのパラメータ設定を例に挙げて、以下の説明を行う。すなわち、読み取り対象となる原稿５０には、ＩＯＴ２０が行う画質調整のためのデータ処理について、そのパラメータ設定をどのようにすべきか（所望パラメータ値）に関する情報が、付加情報５１として付加されているものとする。なお、ここでも、付加情報５１のフォーマット等は特に限定されるものではない。
【００４６】
このような付加情報５１が付加された複数の原稿５０からなる原稿束がＩＩＴ１０にセットされた後、ＵＩ３０で自動出力モードでのコピー開始指示があると、ＩＩＴ１０は、セットされた原稿束を構成する各原稿５０を順次繰り出して、それぞれに対する画像読み取りを実施する。
【００４７】
画像読み取りの開始にあたり、ＩＩＴ１０では、先ず、読み取り対象となる原稿５０の被読み取り面について、プリスキャンを実施する。そして、このときに、付加情報読取部１１が付加情報５１の有無を検知する（Ｓ３０１）。その結果、付加情報５１が有ることを検知すると、付加情報読取部１１は、その付加情報５１の読み取りを行ってコントローラ４０へ送出する（Ｓ３０２）。なお、付加情報５１の有無検知および読み取りは、第一の処理動作例の場合または第二の処理動作例の場合と同様にして行えばよい。
【００４８】
付加情報読取部１１から付加情報５１が送出されてくると、コントローラ４０では、ＩＩＴ−Ｉ／Ｆ４１がその付加情報５１の取得を行うとともに、付加情報解析部４５がその付加情報５１についての内容解析を行う（Ｓ３０３）。そして、付加情報解析部４５が付加情報５１の内容解析を行うと、ＣＰＵ４７は、その内容解析結果に基づき、ＩＯＴ２０が画像データの印刷出力のために行うデータ処理（画質調整処理）のパラメータ設定を認識して、そのＩＯＴ２０に指示する。すなわち、ＣＰＵ４７は、画像データに対してデータ処理を行う際の処理条件を特定するパラメータを認識し、その認識したパラメータをＩＯＴ２０に対して設定指示する（Ｓ３０３）。なお、このとき設定するデータ処理を行う際の処理条件自体（パラメータの値等）については、付加情報解析部４５での付加情報５１の内容解析結果から抽出されるものであっても、あるいはＣＰＵ４７がアクセス可能なＨＤＤ４９内に例えばテーブル形式で予め格納されているものであってもよい。
【００４９】
このＣＰＵ４７からの設定指示を受けると、ＩＯＴ２０は、ＩＩＴ１０が画像読み取り（本スキャン）を実施して得た画像データに対し、コントローラ４０を介して受け取った後に、設定指示された処理条件でのデータ処理（画質調整処理）を行い、用紙上への印刷出力を行う。そして、ＩＯＴ２０での印刷出力または当該印刷出力のためにＩＩＴ１０が行う本スキャンが終了すると、ＩＩＴ１０は、原稿束から次の原稿５０を繰り出して、当該原稿５０についての画像読み取りを開始する。これにより、原稿束を構成する各原稿５０のそれぞれに対し、順次、上述した一連の処理が行われることになる。
【００５０】
以上のように、第三の処理動作例においては、付加情報読取部１１が原稿５０から付加情報５１を読み取ると、付加情報解析部４５がその付加情報５１の内容解析を行うとともに、その内容解析の結果に基づいて、ＣＰＵ４７が原稿５０から得た画像データを印刷出力する際に行うデータ処理（画質調整処理）の処理条件設定（パラメータ設定）をＩＯＴ２０に指示するようになっている。これにより、ＩＯＴ２０での画像データに対するデータ処理は、その原稿５０に付加された付加情報５１の内容が反映されたものとなる。したがって、予め所望する画質等についての情報を付加情報５１として原稿５０に付加しておけば、画像読み取りの際に改めて各原稿５０別に画質等についての設定をＵＩ３０で行うことを要することなく、自動的に所望通りの適切なデータ処理を実施することができ、原稿５０からの画像読み取りを行う際におけるユーザの作業負荷の軽減を図るができる。
【００５１】
〔変形例の説明〕
なお、本実施形態では、本発明の好適な実施具体例を説明したが、本発明はその内容に限定されるものではない。
例えば、本実施形態では、特徴的な処理動作例として第一〜第三の処理動作例を例示したが、本発明は、これら第一〜第三の処理動作例のいずれか一つのみに対応するものであっても、あるいは第一〜第三の処理動作例を複数適宜組み合わせて対応するものであってもよい。すなわち、ＣＰＵ４７は、画像読み取りの両面／片面を制御する第一制御手段としての機能と、その画像読み取りを行う際の処理条件を制御する第二制御手段としての機能と、その画像読み取りで得られた画像データに対するデータ処理の処理条件を制御する第三制御手段しての機能とを、併せ持ったものであってもよい。その場合に、ＣＰＵ４７は、各制御手段としての機能を、選択的に動作させてもよいし、並行的に動作させてもよい。
このように、本発明は、その要旨を逸脱しない範囲で適宜変更することが可能である。
【図面の簡単な説明】
【００５２】
【図１】本発明が適用された複写機の概略構成例を示す説明図である。
【図２】本発明が適用された複写機における第一の処理動作例を示すフローチャートである。
【図３】本発明が適用された複写機における第二の処理動作例を示すフローチャートである。
【図４】本発明が適用された複写機における第三の処理動作例を示すフローチャートである。
【符号の説明】
【００５３】
１０…ＩＩＴ、１１…付加情報読取部、１２…ＨＤＤ、２０…ＩＯＴ、３０…ＵＩ、４０…コントローラ、４１…ＩＩＴ−Ｉ／Ｆ、４２…ページメモリ、４３…圧縮／伸張部、４４…ＩＯＴ−Ｉ／Ｆ、４５…付加情報解析部、４６…ＵＩ−Ｉ／Ｆ、４７…ＣＰＵ、４８…システムメモリ、４９…ＨＤＤ、５０…原稿、５１…付加情報
【図１】
2007088986.tif 000003
【図２】
2007088986.tif 000004
【図３】
2007088986.tif 000005
【図４】
2007088986.tif 000006